【手続補正書】
【提出日】平成16年11月10日(2004.11.10)
【手続補正１】
【補正対象書類名】特許請求の範囲
【補正対象項目名】全文
【補正方法】変更
【補正の内容】
【特許請求の範囲】
【請求項１】
データをロギングする方法であって、
ポータブル通信装置がオフラインである場合に、前記ポータブル通信装置内でアプリケーションを実行するステップと、
前記ポータブル通信装置がオフラインである場合に、前記アプリケーションの実行に関するデータを、前記ポータブル通信装置内に常駐するデータログにロギングするステップと、
前記データログからのデータを外部ソースへ送信するステップと、
を備える方法。
【請求項２】
前記データの送信は、前記データログにおける前記データがスレッショルドを越えたときに行なわれる、請求項１に記載の方法。
【請求項３】
前記データの送信は、前記アプリケーションの実行に関する事象に応答して行なわれる、請求項１に記載の方法。
【請求項４】
前記データの送信は、前記外部ソースからの要求に応答して行なわれる、請求項１に記載の方法。
【請求項５】
前記ポータブル通信装置と前記外部ソースとの間の接続を開始するステップを更に備え、前記データの送信は、前記接続がなされるのに応答して行なわれる、請求項１に記載の方法。
【請求項６】
前記アプリケーションの実行とは独立して前記ポータブル通信装置と前記外部ソースとの間で通信するステップを更に備え、前記データログからの前記データは前記通信で送信される、請求項１に記載の方法。
【請求項７】
前記通信装置内で第２のアプリケーションを実行するステップを更に備え、データをロギングする前記ステップは、前記第１アプリケーションの実行に関するデータと、前記第２アプリケーションの実行に関するデータとの両方を前記データログにロギングする段階を更に備える、請求項１に記載の方法。
【請求項８】
前記データログからのデータが前記外部ソースへ送信されるときに前記アプリケーションの実行に関する更に別のデータを第２のデータログにロギングするステップを更に備える、請求項１に記載の方法。
【請求項９】
前記データログを削除するステップを更に備える、請求項１に記載の方法。
【請求項１０】
前記データログは、前記外部ソースへのデータ送信の後に自動的に削除される、請求項９に記載の方法。
【請求項１１】
前記データログは、前記ポータブル通信装置内又は前記外部ソースからのトリガー事象に応答して削除される、請求項９に記載の方法。
【請求項１２】
前記データログの発生は、前記データログが存在するかどうかチェックする段階と、前記データログが存在しない場合に前記データログを生成する段階とを備える、請求項１に記載の方法。
【請求項１３】
ポータブル通信装置であって、
データログと、
当該ポータブル通信装置がオフラインである場合に、当該ポータブル通信装置内でアプリケーションを実行するように構成され、かつ、当該ポータブル通信装置がオフラインである場合に、前記アプリケーションの実行に関するデータを前記データログにロギングするように構成された処理要素と、
前記データログからのデータを外部ソースへ送信するように構成された送信器と、
を備えたポータブル通信装置。
【請求項１４】
前記送信器は、前記アプリケーションの実行に関する事象に応答して前記データを送信するように更に構成されている、請求項１３に記載のポータブル通信装置。
【請求項１５】
前記送信器は、前記外部ソースからの要求に応答して前記データを送信するように更に構成されている、請求項１３に記載のポータブル通信装置。
【請求項１６】
前記処理要素は、前記通信装置と前記外部ソースとの間の接続を開始するように更に構成され、前記送信器は、前記接続がなされるのに応答してデータを送信するように更に構成されている、請求項１３に記載のポータブル通信装置。
【請求項１７】
前記処理要素は、前記アプリケーションの実行とは独立して前記通信装置と前記外部ソースとの間の通信をサポートするように更に構成され、前記送信器は、前記データログからのデータを前記通信で送信するように更に構成されている、請求項１３に記載のポータブル通信装置。
【請求項１８】
前記処理要素は、第２のアプリケーションを実行するように更に構成されると共に、前記処理要素は、該第２のアプリケーションの実行の関数としてデータを発生して、前記第１アプリケーションの実行に関するデータと、前記第２アプリケーションの実行に関するデータとの両方を前記データログに書き込むことにより、前記データを更にロギングする、請求項１３に記載のポータブル通信装置。
【請求項１９】
第２のデータログを更に備え、前記処理要素は、前記送信器が前記データログからデータを送信するときに前記アプリケーションの実行に関する更に別のデータを前記第２のデータログに書き込むように更に構成されている、請求項１３に記載のポータブル通信装置。
【請求項２０】
前記処理要素は、前記データログを削除するように更に構成されている、請求項１３に記載のポータブル通信装置。
【請求項２１】
前記処理要素は、前記送信器からのデータを前記外部ソースへ送信した後に前記データログを自動的に削除するように更に構成されている、請求項２０に記載のポータブル通信装置。
【請求項２２】
前記処理要素は、当該ポータブル通信装置内又は前記外部ソースから開始されたトリガー事象に応答して前記データログを削除するように更に構成されている、請求項２０に記載のポータブル通信装置。
【請求項２３】
前記処理要素は、前記データログが存在するかどうかチェックし、前記データログが存在しない場合に前記データログを生成するように更に構成されている、請求項１３に記載のポータブル通信装置。
【請求項２４】
データロギングの方法を実行するように、ポータブル通信装置内で動作するプロセッサにより実行される命令のプログラムを実施するコンピュータ読み取り可能な媒体であって、
前記方法が、
前記ポータブル通信装置がオフラインである場合に、前記ポータブル通信装置内でアプリケーションを実行するステップと、
前記ポータブル通信装置がオフラインである場合に、前記アプリケーションの実行に関するデータをデータログにロギングするステップと、
前記データログからのデータを、外部ソースへの送信のために抽出するステップと
を備える、媒体。
【請求項２５】
前記ポータブル通信装置はセルラー電話である、請求項１に記載の方法。
【請求項２６】
前記ポータブル通信装置は個人用デジタルアシスタントである、請求項１に記載の方法。
【請求項２７】
前記アプリケーションを実施する前に、前記外部ソースから前記ポータブル通信装置に前記アプリケーションをダウンロードするステップを更に備える、請求項１に記載の方法。
【請求項２８】
前記ポータブル通信装置はワイヤレスである、請求項１に記載の方法。
【請求項２９】
前記外部ソースは、サービスキャリアを介してインターネットと連通するワイヤレスベースステーションを備える、請求項２８に記載の方法。
【請求項３０】
前記外部ソースがワイヤレスベースステーションを備える場合において、前記データログがスレッショルドレベルに達したとき、前記ポータブル通信装置と前記ベースステーションとの間のワイヤレス接続を開始するステップを更に備え、
前記データ送信は、形成されるワイヤレス接続に応答して生ずる、請求項２８に記載の方法。
【請求項３１】
前記外部ソースがワイヤレスベースステーションを備える場合において、前記アプリケーションの実行とは独立して、前記ポータブル通信装置と前記ベースステーションとの間のワイヤレス接続を開始するステップと、前記ワイヤレス接続を通して前記ポータブル通信装置と前記ベースステーションとの間で通信を行うステップとを更に備え、
前記通信が前記アプリケーションの実行とは無関係であり、
前記データログからのデータが前記通信で前記ワイヤレス接続を通して前記ベースステーションに送信される、請求項２８に記載の方法。
【請求項３２】
前記ワイヤレス接続は前記ポータブル通信装置のユーザにより開始される、請求項３１に記載の方法。
【請求項３３】
前記通信は前記ポータブル通信装置のユーザと前記ベースステーションとの間のリアルタイム通信を含む、請求項３２に記載の方法。
【請求項３４】
セルラー電話である、請求項１３に記載のポータブル通信装置。
【請求項３５】
個人用デジタルアシスタントである、請求項１３に記載のポータブル通信装置。
【請求項３６】
前記処理要素は、前記アプリケーションを実施する前に、前記外部ソースから前記ポータブル通信装置に前記アプリケーションをダウンロードするよう構成されている、請求項１３に記載のポータブル通信装置。
【請求項３７】
ワイヤレスである、請求項１３に記載のポータブル通信装置。
【請求項３８】
前記処理要素は、前記データログがスレッショルドレベルに達したとき、前記ポータブル通信装置とワイヤレスベースステーションとの間のワイヤレス接続を開始するように、かつ、形成されるワイヤレス接続に応答して前記送信器によりデータの送信を開始するように構成されている、請求項３７に記載のポータブル通信装置。
【請求項３９】
前記処理要素は、前記アプリケーションの実行とは独立して、前記ポータブル通信装置とワイヤレスベースステーションとの間のワイヤレス接続を開始するように、かつ、前記ワイヤレス接続を通して前記ポータブル通信装置と前記ベースステーションとの間で通信を行うように構成されており、
前記通信が前記アプリケーションの実行とは無関係であり、
前記処理要素は、更に、前記通信と前記データとの間の帯域幅を前記送信器によるその両方の送信を支持するよう割り当てるように構成されている、請求項３７に記載のポータブル通信装置。
【請求項４０】
前記処理要素は、ユーザプロンプトに応じて前記ワイヤレス接続を開始するように構成されている、請求項３９に記載のポータブル通信装置。
【請求項４１】
前記通信は前記ポータブル通信装置のユーザと前記ベースステーションとの間のリアルタイム通信を含む、請求項４０に記載のポータブル通信装置。